(57)【要約】【課題】被施術者の髪型がロングヘアーでもショートヘアーでも対応が可能な頭髪処理装置を提供することを課題とする。【解決手段】被施術者の頭部の少なくとも一部を覆うことができるフード１の後方側に接続された気体供給ユニットから供給される空気や温風や薬剤などが、被施術者の頭髪に対して噴出され、これにより頭髪に各種の処理が可能な頭髪処理装置であり、フード１は、被施術者の前頭部から側頭部を経て後頭部へ至る範囲を覆う本体部１ａと、本体部１ａの下方側に延設された襟足部１ｂとを有し、このフード１は、移動可能な仕切部６を有するものであり、この仕切部６が移動することにより、上記の襟足部１ｂにおける、仕切部６よりも下方部分への、空気、温風、蒸気、霧状の薬剤など、頭髪処理用に調整された気体の流入を制限可能である頭髪処理装置を提供する。【選択図】          図５
2005102883.tif 000002
【特許請求の範囲】
【請求項１】
被施術者（Ｐ）の頭部の少なくとも一部を覆うことができるフード（１）を備え、このフード（１）の後方側に接続された気体供給ユニット（２）から供給される、空気、温風、蒸気、霧状の薬剤など、頭髪処理用に調整された気体が、被施術者（Ｐ）の頭髪に対して噴出され、これにより頭髪に各種の処理が可能な頭髪処理装置において、
上記のフード（１）は、被施術者（Ｐ）の前頭部から側頭部を経て後頭部へ至る範囲を覆う本体部（１ａ）と、本体部（１ａ）の下方側に延設された襟足部（１ｂ）とを有するものであって、
この本体部（１ａ）には、上記の気体供給ユニット（２）が接続されるものであり、
また、このフード（１）は、移動可能な仕切部（６）を有するものであり、
この仕切部（６）が移動することにより、上記の襟足部（１ｂ）における、仕切部（６）よりも下方部分への上記の気体の流入を制限可能であることを特徴とする頭髪処理装置。
【請求項２】
被施術者（Ｐ）の頭部の少なくとも一部を覆うことができるフード（１）を備え、このフード（１）の後方側に接続された気体供給ユニット（２）から供給される、空気、温風、蒸気、霧状の薬剤など、頭髪処理用に調整された気体が、被施術者（Ｐ）の頭髪に対して噴出され、これにより頭髪に各種の処理が可能な頭髪処理装置において、
上記のフード（１）は、外面部材（４）と内面部材（５）とを有し、
上記各部材間に空間である空気通路（１１）が形成されており、
外面部材（４）には、気体供給ユニット（２）との接続口（４１）が形成されており、
内面部材（５）には、多数の穴である噴出口（５１）が形成されており、
これにより、気体供給ユニット（２）から供給される上記の気体が、空気通路（１１）を経て噴出口（５１）から被施術者（Ｐ）の頭髪に対して噴出されるものであり、
上記の空気通路（１１）には、移動可能な仕切部（６）が備えられたものであり、
この仕切部（６）が移動することにより、空気通路（１１）における、仕切部（６）よりも下流側への上記の気体の流入を制限可能であることを特徴とする頭髪処理装置。
【請求項３】
上記フード（１）の、少なくとも襟足部（１ｂ）に、突出するようにしてリブ（５３）が形成され、
このリブ（５３）が、上下方向に配位されたことによって、気体供給ユニット（２）から供給される上記の気体が、フード（１）の下方に誘導されることを特徴とする、請求項１に記載の頭髪処理装置。
【請求項４】
上記の仕切部（６）が、回動軸（６２ａ）と、回動軸（６２ａ）を中心として回動可能に配位された仕切り板（６１）と、
仕切り板（６１）をフード（１）に対して開放状態で固定するための固定部（６３）とを有するものであり、この仕切り板（６１）が上記の気体の流入を制限するものであることを特徴とする、請求項１から３のいずれかに記載の頭髪処理装置。
【発明の詳細な説明】
【技術分野】
【０００１】
本願発明は、美容室などで用いられる頭髪処理装置に関するものである。
【背景技術】
【０００２】
【特許文献１】特開平１０−９９１２４号公報
【０００３】
従来より、美容室などでパーマや毛染の促進、また、頭髪の乾燥や育毛など、被施術者の頭髪に対する各種の処理を目的として、特開平１０−９９１２４号公報に記載された頭髪処理装置が用いられており、その一つとして、図７に示すような頭髪処理装置１００が例示できる。これは、ヘルメット状のフード１０１と気体供給ユニット１０２とを備えたものであって、気体供給ユニット１０２からフード１０１に空気（冷風）、温風、蒸気、霧状の薬剤などの頭髪処理用に調整された各種気体を供給し、フード１０１に配位した被施術者の頭髪に対して各種の処理を行うものである。
【発明の開示】
【発明が解決しようとする課題】
【０００４】
ところが従来の頭髪処理装置１００におけるフード１０１では、被施術者の後頭部までしかカバーできないものであったため、被施術者の髪型がロングヘアーである場合、頭髪に対して処理を行う際に、この頭髪処理装置１００だけでは対応できず、フード１０１からはみ出た頭髪を別途ドライヤーなどを用いて処理しなければならなかった。
【０００５】
そこで本願の発明者は、ロングヘアーに対応させるべく、フード１０１の後部を下方に延長したものである襟足部をフード１０１に設け、この襟足部に上記の各種気体を供給可能としたものを試作した。ところがこうすると、被施術者の髪型がショートヘアーである場合、上記の襟足部から噴出する温風などが、被施術者の襟足や肩に直接当たるため、不快感を与える。このため、ロングヘアーにもショートヘアーにも対応させようとすれば、ロングヘアー用とショートヘアー用の２種の頭髪処理装置を使い分けるか、あるいは同２種のフードを、気体供給ユニットに対して必要に応じて付け換える必要があって、現実的な解決策とはなっていなかった。
【０００６】
また、気体供給ユニット１０２の内部には軸流送風機が内蔵されているため、この気体供給ユニット１０２からフード１０１に供給される気流は渦巻き状の旋回流となる。そのため、上記のように襟足部を設けても、気流が偏っているために、襟足部までスムーズに上記の各種気体を供給できず、頭髪の処理にムラが出るという問題が見られた。
【０００７】
上記の問題に鑑み、本願発明は、被施術者の髪型がロングヘアーでもショートヘアーでも対応が可能な頭髪処理装置を提供することを第１の課題とする。
また、フードの襟足部に、頭髪処理用に調整された各種気体をスムーズに供給可能な頭髪処理装置を提供することを第２の課題とする。
【課題を解決するための手段】
【０００８】
上記課題を解決するために、本願の請求項１に記載の発明は、被施術者Ｐの頭部の少なくとも一部を覆うことができるフード１を備え、このフード１の後方側に接続された気体供給ユニット２から供給される、空気、温風、蒸気、霧状の薬剤など、頭髪処理用に調整された気体が、被施術者Ｐの頭髪に対して噴出され、これにより頭髪に各種の処理が可能な頭髪処理装置において、上記のフード１は、被施術者Ｐの前頭部から側頭部を経て後頭部へ至る範囲を覆う本体部１ａと、本体部１ａの下方側に延設された襟足部１ｂとを有するものであって、この本体部１ａには、上記の気体供給ユニット２が接続されるものであり、また、このフード１は、移動可能な仕切部６を有するものであり、この仕切部６が移動することにより、上記の襟足部１ｂにおける、仕切部６よりも下方部分への上記の気体の流入を制限可能であることを特徴とする頭髪処理装置を提供する。
【０００９】
また、本願の請求項２に記載の発明は、被施術者Ｐの頭部の少なくとも一部を覆うことができるフード１を備え、このフード１の後方側に接続された気体供給ユニット２から供給される、空気、温風、蒸気、霧状の薬剤など、頭髪処理用に調整された気体が、被施術者Ｐの頭髪に対して噴出され、これにより頭髪に各種の処理が可能な頭髪処理装置において、上記のフード１は、外面部材４と内面部材５とを有し、上記各部材間に空間である空気通路１１が形成されており、外面部材４には、気体供給ユニット２との接続口４１が形成されており、内面部材５には、多数の穴である噴出口５１が形成されており、これにより、気体供給ユニット２から供給される上記の気体が、空気通路１１を経て噴出口５１から被施術者Ｐの頭髪に対して噴出されるものであり、上記の空気通路１１には、移動可能な仕切部６が備えられたものであり、この仕切部６が移動することにより、空気通路１１における、仕切部６よりも下流側への上記の気体の流入を制限可能であることを特徴とする頭髪処理装置を提供する。
【００１０】
また、本願の請求項３に記載の発明は、上記フード１の、少なくとも襟足部１ｂに、突出するようにしてリブ５３が形成され、このリブ５３が、上下方向に配位されたことによって、気体供給ユニット２から供給される上記の気体が、フード１の下方に誘導されることを特徴とする、請求項１に記載の頭髪処理装置を提供する。
【００１１】
また、本願の請求項４に記載の発明は、上記の仕切部６が、回動軸６２ａと、回動軸６２ａを中心として回動可能に配位された仕切り板６１と、仕切り板６１をフード１に対して開放状態で固定するための固定部６３とを有するものであり、この仕切り板６１が上記の気体の流入を制限するものであることを特徴とする、請求項１から３のいずれかに記載の頭髪処理装置を提供する。
【発明の効果】
【００１２】
本願発明の実施にあっては、フード１に設けられた仕切部６が移動することにより、仕切部６を境として、空気、温風、蒸気、霧状の薬剤など、頭髪処理用に調整された気体の流入を制限可能であることから、仕切部６の位置を切り替えることによって、ロングヘアーにもショートヘアーにも対応可能な頭髪処理装置を提供することができる。
また、特に請求項２に記載の発明においては、フード１における空気通路１１を仕切部６によって制限可能であるため、空気通路１１内における乱流の発生を防止でき、被施術者Ｐに安定して上記の気体を供給することができる。
また、特に請求項３に記載の発明においては、リブ５３の形成により、フード１の下方である襟足部１ｂに、上記の気体をスムーズに供給可能な頭髪処理用フードを提供することができる。
【発明を実施するための最良の形態】
【００１３】
以下、図面に基づき本願発明の実施の形態の一例をとりあげて説明する。図１は本例の頭髪処理装置を示す斜視図であり、図２は本例の頭髪処理装置の使用状態を示す参考図であり、図３は本例の頭髪処理装置に係るフードの分解斜視図である。
【００１４】
本例の頭髪処理装置は、図１に示すような形態であり、前方にフード１、後方に気体供給ユニット２、下方にスタンド３を各々備える。
この頭髪処理装置の使用方法は、従来のものと同様であり、図２に示すように、フード１を被施術者Ｐの頭部に被せ、フード１の後方に接続された気体供給ユニット２より、フード１の内部に空気（冷風）、温風、蒸気、霧状の薬剤などの頭髪処理用に調整された各種気体（以下、「各種気体」と称する）を、被施術者Ｐの頭髪に対して噴出させて、頭髪に各種の処理を施すものである。
【００１５】
フード１は、本体部１ａと襟足部１ｂとからなっている。
図２に示すように、本体部１ａは、従来のフードと同様に、ヘルメット状の形態を有するものであって、図３に示すように、被施術者Ｐの前頭部から側頭部を経て後頭部へ至る範囲を覆うものである。
そして、襟足部１ｂは、本体部１ａの下部に延設されたものであって、図３に示すように、被施術者Ｐの襟足から肩にかけての範囲を覆うものである。
【００１６】
本例のフード１は、図３に示すように、外面部材４と内面部材５とが組み合わされたものである。
外面部材４はフード１において後方側に配位される部材であって、気体供給ユニット２に接続可能であって、気体供給ユニット２から供給される各種気体を通すための接続口４１が設けられている。
そして、内面部材５はフード１において前方側に配位される部材であって、気体供給ユニット２から供給され、外面部材４を通過した各種気体を、被施術者Ｐの頭髪に噴出するために、小径の多数の穴である噴出口５１が設けられている。具体的には本例の場合、直径約７mmの穴が約１００個設けられている。
【００１７】
外面部材４と内面部材５とが組み合わされ、フード１が形成された状態は、図４及び図５に示すものであり、各部材４，５間に空間が形成され、この空間が空気通路１１となる。よって、外面部材４の接続口４１に、気体供給ユニット２から供給された各種気体を、空気通路１１を介して、内面部材５の噴出口５１から、被施術者Ｐの頭髪に対して噴出させることができる。
なお、内面部材５を省略し、外面部材４のみでフード１を形成しても良い。その場合においては、空気通路１１に直接被施術者Ｐの頭髪が配位される。また、後述する仕切部６が露出したものとなる。
【００１８】
気体供給ユニット２は、内部に送風機、また必要に応じて加湿器、ヒーター、薬剤散布機構、マイナスイオン発生機構などを内蔵するものであり、取り入れた外気を必要に応じて処理することにより、頭髪処理用に調整された各種気体を生成してフード１に送ることができる。
また、スタンド３は、気体供給ユニット２を、高さや角度を可変に支持するものである。図１及び図２については下部の記載を省略しているが、従来例である図７に示すような床置型のものや、その他として、壁掛型や天井吊下型など、頭髪処理装置の設置場所に応じて種々の形態を採用できる。
【００１９】
本例において、フード１の襟足部１ｂにおける空気通路１１には、図３〜図５に示す仕切部６が設けられている。この仕切部６は、フード１、本例においては外面部材４に対して回動可能に取り付けられ、回動に伴い空気通路１１を閉じ、襟足部１ｂにおける、仕切部６よりも下方部分、つまり下流側への各種気体の流入を制限することができる（仕切部６により空気通路１１を閉じた状態における、図５のＢ−Ｂ断面図を図６に示す）。この流入の制限は、完全に遮断するものであることがより望ましい。
その結果、襟足部１ｂ（本例においては、仕切部６よりも下方部分）における噴出口５１からの各種気体の噴出を止めることができ、本例の頭髪処理装置を、髪型がショートヘアーである被施術者に使用した場合であっても、襟足や肩に各種気体がかかることによる不快感を感じないようにできる。
また、空気通路１１自体を閉じず、噴出口５１のみを覆うなどして閉じることも可能であるが、その場合には、行き止まりの状態になった襟足部１ｂの存在のために、空気通路１１内で乱流が発生し、被施術者Ｐに対して安定して各種気体を供給できない恐れがある。これに対して本例のように、空気通路１１を仕切部６によって制限した場合は、上記のような乱流の発生がないため、被施術者Ｐに対して安定して各種気体を供給することができる。
【００２０】
本例における仕切部６は、仕切り板６１、レバー６２、固定部６３を有する。
仕切り板６１は、空気通路１１の断面形状に一致した形状である平板状のものである。また、レバー６２は、軸部６２ａと持手部６２ｂとを有するＬ字状のものであって、軸部６２ａが仕切り板６１に対してねじ止めにより固定されるものであり、かつ、外面部材４に設けられたレバー貫通穴４２に対して、回動可能に取り付けられる。このレバー６２の軸部６２ａが回動軸となり、このレバー６２の持手部６２ｂを操作することにより、図５に示すように、仕切り板６１を空気通路１１に対して開閉できる。なお、本例では空気通路１１に対して仕切り板６１が隙間をわずかに有するものとなっているが、空気通路１１を完全に閉じるために、仕切り板６１の周囲にシール部を設けるなどして、空気通路１１に対して完全に隙間なく閉鎖可能なものとしても良い。
この仕切部６は、本例においては、上記に示したように回動により、空気通路１１を開閉するものとしているが、例えば、仕切り板６１をフード１に対して取り外し可能なものとしておき、仕切り板６１をフード１に差し込むことにより、空気通路１１を閉じるものとしたり、仕切り板６１を観音開き状に開閉可能な形態としても良い。また、本例においては、レバー６２の軸部６２ａである回動軸をフード１に対して横方向に配位しているが、回動軸をフード１に対して前後方向に配位しても良い。つまり、この仕切部６は、空気通路１１における各種気体の流入を制限可能なものであれば、種々の形態に変更して実施できる。また、仕切り部６を複数設けておき、各々が独立あるいは連動して動作するものとしても良い。
また、本例においては、後述する襟足部リブ５３の存在により、この仕切部６が、図３〜図５に示すように、襟足部１ｂの途中に設けられていて、仕切部６よりも下方側における空気通路１１の開閉を行うものとしているが、仕切部６を形成する位置は本例の位置に限られるものではなく、襟足部１ｂにおける上方寄りの位置に設けても良いし、本体部１ａに仕切部６を設けたものとしても良い。
【００２１】
また、仕切り板６１には、図５に実線で示すように、仕切部６を開放状態で固定しておくための固定部６３が設けられている。本例においては、この固定部６３として磁石が用いられており、外面部材４に設けられ、鉄などの磁性体からなる固定部受部４２に吸着させることによって、仕切部６の開放状態を維持することができる。なお本例において、仕切部６の閉じた状態は、図４に示す、襟足部１ｂに流入しようとする気流Ｆ３の押圧により維持される。
上記の固定部６３や固定部受部４２については、本例に示した構造に限られるものではなく、突起と凹部とを嵌合することにより固定するものなどであっても良く、開放状態を維持するために仕切部６を固定できるものであれば種々の形態で実施が可能である。また、仕切部６の閉じた状態を維持するためにも、この固定部６３を用いるものとしても良い。
【００２２】
また、本例では、図３に示すように、内面部材５の空気通路１１側に突出するようにしてリブ５２，５３が設けられている。このリブ５２，５３は、気体供給ユニット２からフード１へ供給される各種気体の有する旋回流を、空気通路１１の内部で補正して、噴出穴５１から各種気体を均等に噴出させる作用と、襟足部１ｂにおける空気通路１１に各種気体をスムーズに流入させる作用とをなすものである。
本例では、図４及び図５に示すように、本体部１ａにおいて、周囲から中心方向に向かって形成された本体部リブ５２と、本体部１ａから襟足部１ｂにわたって上下方向に設けられた襟足部リブ５３とがそれぞれ設けられている。
本体部リブ５２は、図４に示すように、円周方向へ旋回している旋回流Ｆ１を邪魔し、中心部分を旋回する気流Ｆ２に集約する作用をなす。また、襟足部リブ５３は、上記のように集約され、中心部分を旋回する気流Ｆ２を誘導し、襟足部１ｂへと向かう気流Ｆ３とするものである。
気体供給ユニット２に設けられた軸流送風機により発生する気流は旋回流であって、フード１内において径外の部分の方が風量が多く流れている。よって、本体部リブ５２の存在により、風量の比較的少ない径内の部分に各種気体を導くことができ、本体部１ａにおいて、噴出穴５１から各種気体を均等に噴出させることができる。また、襟足部リブ５３の存在により、上記のように、本体部１ａの中央部分を旋回している気流Ｆ２の流れ方向を下方に変換し、その変換された気流Ｆ３を襟足部１ｂにスムーズに送ることができる。よって、このリブ５２，５３を形成することにより、被施術者Ｐに対して、ムラなく頭髪の処理をすることができる。
リブ５２，５３の形状や数量、また、設ける位置については、上記に説明したものに限られず、種々に変更して実施し得る。例えば、本体側リブ５２を曲面で構成しても良いし、襟足部リブ５３を、襟足部５３にのみ設けても良い。
【図面の簡単な説明】
【００２３】
【図１】本願発明の実施の形態の一例に係る頭髪処理装置を示す斜視図である。
【図２】本例の頭髪処理装置の使用状態を示す参考図である。
【図３】本例の頭髪処理装置に係るフードの分解斜視図である。
【図４】本例の頭髪処理装置に係るフードであって、噴出口の記載を省略した正面図である。
【図５】図４のＡ−Ａ断面図である。
【図６】図５において、仕切部を破線の位置に配位した場合のＢ−Ｂ断面図である。
【図７】従来の頭髪処理装置を示す斜視図である。
【符号の説明】
【００２４】
１      フード
１ａ    本体部
１ｂ    襟足部
１１    空気通路
２      気体供給ユニット
４      外面部材
４１    接続口
５      内面部材
５１    噴出口
５３    （襟足部）リブ
６      仕切部
６１    仕切板
６２ａ  回動軸、レバーの軸部
６３    固定部
Ｐ      被施術者
【図１】
2005102883.tif 000003
【図２】
2005102883.tif 000004
【図３】
2005102883.tif 000005
【図４】
2005102883.tif 000006
【図５】
2005102883.tif 000007
【図６】
2005102883.tif 000008
【図７】
2005102883.tif 000009